(57)【要約】    【課題】注入物を注入しやすく、身体にやさしく使いやすい保温具の提供。    【解決手段】本発明に係る保温具１は、ポリマー組成物からなる中袋３と、カバー５とを備えており、上記中袋３は、本体７と、この本体７の一端に備えられ内部と外気とを連通する筒状の注ぎ口９とを備えている。上記カバー５は、上記注ぎ口９を下から重層して支持するために用いられる折りたたみ部１１、上記注ぎ口９を通すことにより注ぎ口を保持するための孔を備える注ぎ口保持部１３及び上記本体７を覆うための被覆部１５を備えている。この保温具１は、上記注ぎ口保持部１３の上方において、上記注ぎ口９の上端が周方向に巻き付けられるための芯棒と、この芯棒に巻き付けられた上端を上記芯棒とともに挟むクリップと、が備えられていることがより好ましい。【選択図】図１
2006051160.tif 000002
【特許請求の範囲】
【請求項１】
ポリマー組成物からなる中袋と、
カバーとを備えており、
上記中袋は、本体と、この本体の一端に備えられ内部と外気とを連通する筒状の注ぎ口とを備えており、
上記カバーは、上記注ぎ口を下から重層して支持するために用いられる折りたたみ部、上記注ぎ口を通すことにより注ぎ口を保持するための孔を備える注ぎ口保持部及び上記本体を覆うための被覆部を備えている保温具。
【請求項２】
上記保持部の上方において、上記注ぎ口の上端が周方向に巻き付けられるための芯棒と、
この芯棒に巻き付けられた上端を上記芯棒とともに挟むクリップと、
が備えられている請求項１に記載の保温具。
【発明の詳細な説明】
【技術分野】
【０００１】
本発明は、流体を用い、この流体の温度を利用する保温具に関する。
【背景技術】
【０００２】
例えば、冬季の就寝時に身体を温めるために電気毛布が用いられる。この電気毛布は、布団全体が暖かいため、かえって寝心地が悪い場合がある。安眠を促すためには、足を温めることが有効であるといわれている。足を温めるのに電気あんかや金属製の湯たんぽが用いられる。電気あんかは温度がコントロールされるが、電源コードを要し煩わしい。金属製の湯たんぽは、取り扱いにおいて重く、硬いため使用感が悪い。使用感がよい点から、ゴム等柔軟性のあるポリマーからなる湯たんぽが、今でも使われ続けている。
【０００３】
しかし、ゴム製湯たんぽは、通常注ぎ口が袋体の横に設けられている。この湯たんぽでは、お湯を注ぐには、湯たんぽを起こして注ぎ口を立てなくてはならない。片手に重いやかんを持ち、他方の手で湯たんぽを支えることは使用する人にとって煩わしい。お湯が熱いため湯たんぽの口を持ちにくいことがある。湯たんぽを使用する機会の多い老人や病人には、このようなお湯の注入をすることが危険でもある。この湯たんぽは、袋体であるため、注入物を氷水にすれば、夏期には保冷に用いることができる。この場合は、氷又は氷水が注ぎ口から注入される。氷を注入する場合も、上記湯たんぽの場合と同様に不便である。
【発明の開示】
【発明が解決しようとする課題】
【０００４】
本発明は上記のような実情に鑑みなされたものであり、注入物を注入しやすく、身体にやさしく使いやすい保温具の提供を目的としている。
【課題を解決するための手段】
【０００５】
本発明に係る保温具は、ポリマー組成物からなる中袋と、カバーとを備えている。上記中袋は、本体と、この本体の一端に備えられ内部と外気とを連通する筒状の注ぎ口とを備えている。上記カバーは、上記注ぎ口を下から重層して支持するために用いられる折りたたみ部、上記注ぎ口を通すことにより注ぎ口を保持するための孔を備える注ぎ口保持部及び上記本体を覆うための被覆部を備えている。
【０００６】
この保温具は、上記保持部の上方において、上記注ぎ口の上端が周方向に巻き付けられるための芯棒と、この芯棒に巻き付けられた上端を上記芯棒とともに挟むクリップと、が備えられていることがより好ましい。
【発明の効果】
【０００７】
この保温具は、力を要することなく注ぎ口が湯等の流体を注ぎやすい位置に保持することができる。注ぎ口の密栓も容易に行うことができる。この保温具は、高齢者、病弱者等にも取り扱いやすい。例えば、湯たんぽとして、湯を注いだこの保温具は、カバーで覆いさらに織布からなる袋に収納されて足の保温に用いられる。この湯たんぽは、湯の追加補給なしに朝まで体温以上の温度を保持している。自然の温もりと軟らかさにより使用感がよく、寝心地がよい。
【発明を実施するための最良の形態】
【０００８】
以下、適宜図面が参照されつつ、好ましい実施形態に基づいて本発明が詳細に説明される。
【０００９】
図１は、本発明の一実施形態に係る保温具１が示された平面図である。図２は、図１の保温具１に湯が注がれている様子が示された斜視図である。この保温具１は、中袋３とカバー５とを備えている。上記中袋３は、本体７と注ぎ口９とを備えている。
【００１０】
本体７の大きさ及び形状に特に制限はない。本体３が略長方形の場合は、短辺が１５ｃｍから２５ｃｍで長辺が３０ｃｍから５０ｃｍ、高さが、注入物が充填されたときに３ｃｍから８ｃｍ程度に形成されることが多い。注ぎ口９は、本体７の一端に備えられ内部と外気とを連通する筒状に形成されている。注ぎ口９は、図１に示されているように、本体７の短辺端部から本体の長手方向に一体に筒状に延設されている。
【００１１】
この短辺端部から注ぎ口９の終端までの長さは、通常約８ｃｍから１２ｃｍ程度であり、上記筒状部分の直径は２．５ｃｍから４．０ｃｍ程度とすることができる。通常のゴム製湯たんぽが約３ｍｍから５ｍｍの材料厚さを有するのに比べるとこれらに比べてより薄く形成されることが好ましい。好ましくは０．３ｍｍから２ｍｍである。この材質は薄くて強いものである方がより好ましい。
【００１２】
上記本体７及び注ぎ口９は、可撓性を有するポリマー組成物からなる。注ぎ口９は、本体７に一体に接合されている。通常、本体７と注ぎ口９の材質は同じである。このポリマー組成物は、公知の方法で袋状に成形され、架橋されて中袋３とされる。ポリマーの中でも取り扱い容易性及びコストの面からゴム、エラストマー又は樹脂が用いられる。中袋３に用いられる材質は後述されるが、柔軟性の高いもの又はフィルム状で容易に変形できる可撓性のものが好ましい。
【００１３】
中袋３を形成する可撓性材料の厚さは、用いられるポリマーにより異なる。ポリマーの耐傷性、引張強度等が大きい場合は、薄くすることができる。例えば湯が注入された保温具の表面剛性が低い方が足等の身体を預けた場合の感触がよい。この感触の面から材質の伸びが大きいゴム製のものがより好適に用いられる。ゴム材質は、耐熱性にも優れているものが多くこの面からもより好ましい。ゴムのなかで、伸びが大きく、耐熱性及び耐候性にも優れるものとしては、天然ゴム、イソプレンゴム、ブタジエンゴムスチレン−ブタジエンゴム、ブチルゴム、エチレンプロピレンジエンゴム及びクロロプレンゴムが例示される。
【００１４】
耐熱性及び耐候性に優れるものとしてはシリコーンゴム及びフッ素系ゴムが挙げられる。ゴムのなかでもラテックスゴムから成形されるものが伸びがよく強い面からより好適に用いられる。中袋３の材質に樹脂が用いられる場合は、可撓性を備え変形できる必要がある。もちいうる樹脂としては、耐熱性の面からポリプロピレン、中密度ポリエチレン、６６タイプナイロン、ポリカーボネート、シリコーン等である。
【００１５】
中袋３が薄く形成されても耐衝撃性、耐傷性をカバー５により補うことができる。このカバー５は、可撓性を備えた樹脂フィルム、ゴムシート、織布、不織布又はこれらの複合されたシート状のものから形成されうる。中袋３の表面を保護し中袋３の柔軟性を損なわないものであれば特に材質に制限はない。湯を注いだ直後等に熱さを緩和できるように空気を多く含む多孔質シート又は織布が通常用いられる。保温の面からより好ましくは樹脂製の多孔質シートである。多孔質シートとしては、発泡ポリウレタン、発泡エチレン酢酸ビニル共重合体等が特に好適である。これらのシートは市販されているものからも適宜選択されうる。
【００１６】
カバー５は、折りたたみ部１１、注ぎ口保持部１３及び被覆部１５を備えている。図１に示されているように、カバー５の短辺方向中央部１７に中袋３が載せられる。このとき、中袋３の注ぎ口９がカバー５の注ぎ口保持部１３の上に位置する。このカバー５は、上記注ぎ口９が配置される短辺方向中央部１７で折りたたみ部１１、注ぎ口保持部１３及び被覆部１５が一体に接続されている。この折りたたみ部１１と注ぎ口保持部１３とは、上記短辺方向の接続された中央部１７を除いて、注ぎ口保持部１３の上下端部に向かって切り離されている。
【００１７】
この折りたたみ部１１は、例えば下側の切片２１を折り曲げて接続中央部１７に折り重ね、次いで、上側の切片２３を上記下側の切片２１の上に折り重ねる。このように三つ折りに重ねられた切片２１、２３は、上記注ぎ口保持部１３の接続中央部１７の上にまとめられて重なり２５を形成する。図２に示されているように、この重なり２５は、カバー５の材質の弾力性によって、かさ高の枕状となる。注ぎ口９は、この折りたたみ部１１の重なり２５に支持されて湯等が注がれる場合には、注ぎやすい角度になる。
【００１８】
注ぎ口保持部１３は、図１に示されているように、隣接する上記被覆部１５とは接続された中央部１７を除き、この中央部１７から上下方向両端に向かって切り離されている。この切り離された上下の切片２７、２９にはそれぞれ孔３１、３３が備えられている。この孔３１、３３の大きさは、注ぎ口９の太さと同等又はそれよりも少し大きい程度に設けられる。孔３１、３３の形状は、細長過ぎなければ、特に制約はない。孔３１、３３の形状が細長過ぎると注がれる流体の流れが悪くなる場合がある。通常は、中太の楕円、多角形又は円である。上記枕状の折りたたみ部１１の上に置かれた注ぎ口９が、例えば、まず孔３１の下から上に通される。さらに反対側の孔３３にも注ぎ口が下から上に通される。両側から互いに反対方向に注ぎ口９に力が作用するので、注ぎ口９が安定に保持される。
【００１９】
注ぎ口９を保持している状態の注ぎ口保持部１３を保温具１の使用者が手で持って、湯等が注がれるときの角度を注ぎやすいように調節することができる。注ぎ口９から熱い湯を注ぐときは、お湯の流入圧力に負けない程度に保持することができる。この場合に注ぎ口保持部１３を持てば熱くなく、注ぐのに便利である。図２に示されているように、やかんのお湯を中袋３に注入する場合に、注ぎ口９に差し入れることができる注入補助ホース３５が用いられることが好ましい。この注入補助ホース３５は、一方がやかんの口に填め込まれ、他方の端が注ぎ口９の中に入れられる。この注入補助ホース３５が用いられれば、高齢者等による注湯時の漏洩等の危険が防止され、注湯の煩わしさが軽減される。
【００２０】
図３は、図１の保温具１で、注ぎ口９に芯棒３７とクリップ３９とが用いられている様子が示された平面図である。図４は、使用される状態における図１の保温具１が示された断面図である。注ぎ口９は、折りたたみ部１１の上で注ぎ口保持部の孔３１、３３に通されている。この図４の中袋３には流体が注入されている。湯が注入された後は、注ぎ口９が平坦に折りたたまれて芯棒３７の周方向に帯状に巻き付けられる。この巻かれた注ぎ口９は、芯棒３７とともに上からクリップ３９で固定される。この固定により、中袋３内部の流体が漏れ出ない。この芯棒３７の長さは、帯状の注ぎ口９の巾より長目の３．０ｃｍから５．０ｃｍ程度である。芯棒３７の太さは、注ぎ口９がクリップ３９で留めやすければよく、特に制限はない。
【００２１】
このように注ぎ口端４０が密栓された後、中袋３の下に拡がっている被覆部１５を中袋３の上に折り返して中袋３を包む。この被覆部１５に包まれた状態のまま用いることもできる。この場合は、面ファスナー等により被覆部１５が留められてもよい。上記被覆部１５の上にさらに織布、多孔質シート等を巻き重ねることができる。このような巻き重ねは保温性をよくする。通常は、このように被覆された保温具１全体又は被覆部１５に包まれた部分が外形をまとめる織布又はシートでさらに覆われる。この覆う織布又はシートは、この保温具１用に形成された袋であることが好ましい。袋の場合は、保温具１の持ち運びにも便利である。  
【００２２】
図５（ａ）は、本発明の他の実施形態に係る保温具４１が示された部分平面図である。図５（ｂ）は、図５（ａ）のＢ−Ｂ線に沿った断面図である。この保温具４１も本体と注ぎ口４３とを備えた軟質の中袋と発泡樹脂等からなるカバーとを備えている。さらに、この保温具４１も、注ぎ口４３を留めるための芯棒４５とクリップ４７とを備えている。この図に示されている芯棒４５は中空の筒状であり、クリップ４７は、バネ弾性を有する線材からなる。この芯棒４５とクリップ４７によっても、注ぎ口４３は十分液密が保持される。この保温具４１も湯等を中袋に注ぎやすい。この保温具４１も使用感が優れ、寝心地がよい。
【産業上の利用可能性】
【００２３】
本発明は、湯たんぽ、氷嚢及びこれらに類する用途の保温具に適用されうる。
【図面の簡単な説明】
【００２４】
【図１】図１は、本発明の一実施形態に係る保温具が示された平面図である。
【図２】図２は、図１の保温具に湯が注がれている様子が示された斜視図である。
【図３】図３は、注ぎ口に芯棒とクリップとが用いられている様子が示された平面図である。
【図４】図４は、使用される状態における図１の保温具が示された断面図である。
【図５】図５（ａ）は、本発明の他の実施形態に係る保温具が示された部分平面図であり、図５（ｂ）は、図５（ａ）のＢ−Ｂ線に沿った断面図である。
【符号の説明】
【００２５】
１、４１・・・保温具
３・・・中袋
５・・・カバー
７・・・本体
９、４３・・・注ぎ口
１１・・・折りたたみ部
１３・・・注ぎ口保持部
１５・・・被覆部
１７・・・短辺方向中央部
１９・・・注ぎ口保持部端
２１、２３・・・折りたたみ部切片
２５・・・重なり
２７、２９・・・注ぎ口保持部切片
３１、３３・・・孔
３５・・・注入補助ホース
３７、４５・・・芯棒
３９、４７・・・クリップ
【図１】
2006051160.tif 000003
【図２】
2006051160.tif 000004
【図３】
2006051160.tif 000005
【図４】
2006051160.tif 000006
【図５】
2006051160.tif 000007